(57)【特許請求の範囲】
【請求項１】
デジタル交換機と、
該デジタル交換機が接続される加入者系伝送装置と、
外部よりスイッチオプションを設定する制御部を有し、
前記加入者系伝送装置は、
交換機インタフェースユニットと、
制御パスユニットと、
ＩＳＤＮ加入者インタフェースユニットとを備え、
前記制御部により、ベンダー毎に異なるスイッチング情報を前記交換機インタフェースユニット、前記制御パスユニット、及び前記ＩＳＤＮ加入者インタフェースユニットに与えることで、前記ベンダー毎に異なるアラーム情報が前記ＩＳＤＮ加入者インタフェースユニット、又は前記制御パスユニットで生成され、
前記アラーム情報が前記ＩＳＤＮ加入者インタフェースユニットで生成されたときは、前記アラーム情報は前記ＩＳＤＮ加入者インタフェースユニットから前記制御パスユニット、及び前記交換機インタフェースユニットを介して前記デジタル交換機に出力され、
前記アラーム情報が前記制御パスユニットで生成されたときは、前記アラーム情報は前記制御パスユニットから前記交換機インタフェースユニットを介して前記デジタル交換機に出力される、
ことを特徴とするＩＳＤＮアラーム通知システム。
【請求項２】
複数のデジタル交換機と、
該複数のデジタル交換機が接続される加入者系伝送装置と、
外部よりスイッチオプションを設定する制御部を有し、
前記加入者系伝送装置は、
交換機インタフェースユニットと、
制御パスユニットと、
ＩＳＤＮ加入者インタフェースユニットとを備え、
前記制御部により、ベンダー毎に異なるスイッチング情報を前記交換機インタフェースユニット、前記制御パスユニット、及び前記ＩＳＤＮ加入者インタフェースユニットに与えることで、前記ベンダー毎に異なるアラーム情報が前記ＩＳＤＮ加入者インタフェースユニット、又は前記制御パスユニットで生成され、
前記アラーム情報が前記ＩＳＤＮ加入者インタフェースユニットで生成されたときは、前記アラーム情報は前記ＩＳＤＮ加入者インタフェースユニットから前記制御パスユニット、及び前記交換機インタフェースユニットを介して前記デジタル交換機に出力され、
前記アラーム情報が前記制御パスユニットで生成されたときは、前記アラーム情報は前記制御パスユニットから前記交換機インタフェースユニットを介して前記デジタル交換機に出力される、
ことを特徴とするＩＳＤＮアラーム通知システム。
【請求項３】
請求項２において、
前記複数のデジタル交換機は、ＲＤＴ３０３−１〜４のインタフェース規格を持ち、ＲＤＴ３０３毎に前記加入者系伝送装置の交換機インタフェースユニットと、制御パスユニットと、ＩＳＤＮ加入者インタフェースユニットにおける交換機タイプを設定可能であることを特徴とするアラーム通知システム。
【請求項４】
請求項２において、
前記複数のデジタル交換機は、異なる交換機ベンダーの交換機であることを特徴とするアラーム通知システム。
【請求項５】
アナログ交換機と、複数のデジタル交換機と、
該アナログ交換機はデジタル化装置を通して、該複数のデジタル交換機は直接に接続される加入者系伝送装置と、
外部よりスイッチオプションを設定する制御部を有し、
前記加入者系伝送装置は、
交換機インタフェースユニットと、
制御パスユニットと、
ＩＳＤＮ加入者インタフェースユニットとを備え、
前記制御部により、ベンダー毎に異なるスイッチング情報を前記交換機インタフェースユニット、前記制御パスユニット、及び前記ＩＳＤＮ加入者インタフェースユニットに与えることで、前記ベンダー毎に異なるアラーム情報が前記ＩＳＤＮ加入者インタフェースユニット、又は前記制御パスユニットで生成され、
前記アラーム情報が前記ＩＳＤＮ加入者インタフェースユニットで生成されたときは、前記アラーム情報は前記ＩＳＤＮ加入者インタフェースユニットから前記制御パスユニット、及び前記交換機インタフェースユニットを介して前記デジタル交換機に出力され、
前記アラーム情報が前記制御パスユニットで生成されたときは、前記アラーム情報は前記制御パスユニットから前記交換機インタフェースユニットを介して前記デジタル交換機に出力される、
ことを特徴とするＩＳＤＮアラーム通知システム。
【請求項６】
請求項５において、
前記ＩＳＤＮ加入者インタフェースユニットは、一枚のＩＳＤＮカードに少なくとも２チャネル分のアラーム制御部を備えることを特徴とするアラーム通知システム。
【請求項７】
請求項１において、
前記ＩＳＤＮ加入者インタフェースユニットは、終端部を有し、
該終端部はネットワークアターミナルの接続が断状態であることを検知することを特徴とするアラーム通知システム。
【請求項８】
請求項１において、
前記ＩＳＤＮ加入者インタフェースユニットは、終端部を有し、
該終端部はネットワークアターミナルがパワーダウン状態であることを検知することを特徴とするアラーム通知システム。
【発明の詳細な説明】
技術分野
本発明は、交換機に接続される加入者系伝送装置のＩＳＤＮアラーム通知（Ｆａｕｌｔ  Ｌｏｃａｔｉｎｇ）システムに関し、特に、ＴＲ３０３に準拠する交換機に接続される加入者系伝送装置のＩＳＤＮアラーム通知システムに関する。
背景技術
交換機と加入者までの距離が長い環境において、加入者線を一度多重化（ＭＵＸ）して、光伝送路を通して交換機と加入者とを接続するデジタルループキャリアサービスが北米を中心として採用されている。
図１は、ＵＤＬＣ（Ｕｎｉｖｅｒｓａｌ  Ｄｉｇｉｔａｌ  Ｌｏｏｐ  Ｃａｒｒｉｅｒ）システムの構成例である。アナログスイッチ１のＤＳ０レベルのアナログ出力は、デジタルループキャリア装置２によりデジタル信号に変換され、アッド・ドロップ多重化（ＡＤＭ）装置３により、ＯＣ３／ＯＣ１２等の光多重化信号４に変換され、キャリアサービス領域６にある端末と接続されるリモート端局５に送られる。
また、アナログ交換機１からのＤＳ０レベルのアナログ出力は、ダイナミックなクロスコネクト機能を有するアクセスキャリアトランスポートシステム（ＡＣＴＲ：Ａｃｃｅｓｓ  Ｃａｒｒｉｅｒ  Ｔｒａｎｓｐｏｒｔ  Ｓｙｓｔｅｍ）７を通して、光多重化信号８に変換され、キャリアサービス領域１０にある端末と接続されるリモート端局９に送られる。
図２は、交換機がデジタル交換機（ＴＲ００８，ＴＲ３０３）の場合であり、ＤＳ１レベルのデジタル信号を出力する。デジタル交換機１１，１２とアクセスキャリアトランスポートシステム（ＡＣＴＲ：Ａｃｃｅｓｓ  Ｃａｒｒｉｅｒ  Ｔｒａｎｓｐｏｒｔ  Ｓｙｓｔｅｍ）のリモート端局１３，１４）を対向させてＩＤＬＣ（Ｉｎｔｅｇｒａｔｅｄ  Ｄｉｇｉｔａｌ  Ｌｏｏｐ  Ｃａｒｒｉｅｒ）構成を採る。
なお、デジタル交換機（ＴＲ００８）１１は、各加入者線中のサービスチャネルで制御信号を扱う交換機であり、デジタル交換機（ＴＲ３０３）１２は、制御信号に別バスを用いダイナミックにクロスコネクトが可能な交換機である。
図１、図２に示すシステムを更に考察すると、図３に示すように、従来のアナログ交換機１Ａ〜１Ｃは、交換機（ＳＷ）ベンダーによらず、全て同一のインタフェース規格（ＴＲ−００８）に準拠している。特にＩＳＤＮについてはＴＲ−３９７規格によりアラーム、フォルトロケーティングの方法が規定されていた。
また、交換機１Ａ〜１Ｃと加入者端末２２間に接続されるセントラルオフィスターミナル（ＣＯＴ）２０及び、リモートターミナル（ＲＴ）（加入者形伝送装置）２１は、図１に示したＵＤＬＣ構成をとり、いわば「見えない存在」である。
このため、セントラルオフィスターミナル（ＣＯＴ）２０及び、加入者系伝送装置２１は、交換機のベンダーを意識する必要がなく、基本的には交換機１Ａ〜１Ｃと加入者端末２２間の信号をそのまま（ＴＲＡＮＳＰＡＲＥＮＴ）に伝送することが可能であった。
すなわち、ＴＲ−００８規格モードにおいては、いずれの交換機ベンダーの交換機に接続しても、ＩＳＤＮアラーム発生時に、共通の仕様でｍ−ｂｉｔ及び制御パス（ｅｏｃ：Ｅｍｂｅｄｄｅｄ  Ｏｐｅｒａｔｉｏｎ  Ｃｈａｎｎｅｌ）を送出すればよかった。
図４に示す表１は、各交換機ベンダーに対応したＩＳＤＮアラーム通知コマンド及び、その値（ＴＲ−００８）である。例えば、１項のＣＨカード抜け時には、セントラルオフィスターミナル（ＣＯＴ）２内のインタフェースＬＵＮＴが未実装であることを認識し、交換機１に対してｍ−ｂｉｔ＝’０１１１  １１１０  １１１’ｂを送出する。
各ビット名称は、左側からａｃｔ，ｐｓ１，ｐｓ２，ｎｔｍ，ｃｓｏ，ｍ４６，ｓａｉ，ｎｉｂ，ｍ５１，ｍ５２，ｍ６１であり、この場合はａｃｔとｎｉｂが０で、それ以外のビットが１である。
また、１項において、ｅｏｃメッセージは、ａｄｄｒ．＝１、ｍｓｇ＝“７８”を交換機１に対して送出する。ここで、ａｄｄｒ．＝１はＬＵＮＴ（ＣＯＴ側）、ａｄｄｒ．＝２はＬＵＬＴ（ＲＴ側）、ａｄｄｒ．＝０はＮＴ１であるが、ｍｓｇ＝“７８”というＬＯＳＳ  ＯＦ  ＳＹＮＣＲＯＮＩＺＡＴＩＯＮメッセージによると、ａｄｄｒ．＝２のインタフェースＬＵＬＴにアラームが発生したため、ａｄｄｒ．＝１からアラームメッセージを交換機１に送出していることが分かる。
２項のＵ点同期外れ時も、１項と同様にｍ−ｂｉｔを送出するが、ｅｏｃ  ａｄｄｒｅｓｓは“２”となる。
３項のＮＴ１電源断時は、２項と同じＵ点同期外れ状態に遷移するため２項と同じｍ−ｂｉｔで制御パス（ｅｏｃ）を送出する。
４項のＴ点同期外れ時は、ｍ−ｂｉｔのａｃｔとｓａｉビットが０で、それ以外は１である。また、Ｔ点が同期外れとなってもネットワークターミナルＮＴ１までの同期は確立したままなので、制御パス（ｅｏｃ）は、ブロードキャスト（ｂｒｏａｄｃａｓｔ）アドレスの“７”、メッセージは“ＦＦ（Ｒｅｔｕｒｎ  ｔｏ  Ｎｏｒｍａｌ）”を送出する。
発明の概要
ここで、ＴＲ−３０３規格に準拠する加入者系伝送装置においては、ＩＳＤＮ加入者線のアラーム情報が、あるベンダー（ＮＯＲＴＥＬ社）の交換機には正しく通知されないという問題がある。
ＴＲ−３０３規格においては、図２のようなＩＤＬＣ構成をとるために、ＵＤＬＣ構成のように交換機と加入者間の信号を、そのまま（ＴＲＡＮＳＰＡＲＥＮＴ）に伝送すればよいというわけにはいかない。
すなわち、加入者線のアラーム情報を加入者系伝送装置ＲＤＴにより管理し、交換機とＲＤＴ間の制御パス（ｅｏｃ）を使って通知する必要がある。本発明の対象とされるアクセスキャリア・トランスポート（ＡＣＴＲ）システムでは、データターミナル（ＩＤＴ）と接続するため、既に４：１多重分割（ＴＤＭ）モード機能の追加を行っている。
４：１ＴＤＭモードにおいては、制御パス（ｅｏｃ：Ｅｍｂｅｄｄｅｄ  Ｏｐｅｒａｔｉｏｎ  Ｃｈａｎｎｅｌ）によりＴＲ−３０３規格の交換機と加入者系伝送装置ＲＤＴ間の制御情報をやりとりする。ＩＳＤＮに関する規格ＴＲ−３９７には４：１ＴＤＭモードでのＥＯＣ詳細（ＩＳＤＮ加入者のアラーム通知規格）は明確に規定されていない。
現実にはＴＲ−３０３をサポートする各々の交換機メーカーが独自のＩＳＤＮアラーム検出仕様にて交換機を設計している。
そこで、本発明に従い、アクセスキャリア・トランスポート（ＡＣＴＲ）システムのＩＳＤＮカードにおいて、スイッチオプション（ＳＷＩＴＣＨ  ＯＰＴＩＯＮ：ＳＷＯＰＴ）を設け、各交換機ベンダーに対応したＩＳＤＮアラーム通知ができるように構成している。
さらに、本発明に従うＩＳＤＮアラーム通知システムの好ましい態様は、デジタル交換機と、デジタル交換機が接続される加入者系伝送装置と、外部よりスイッチオプションを設定する制御部を有する。そして、前記加入者系伝送装置は、交換機インタフェースユニットと、制御パスユニットと、ＩＳＤＮ加入者インタフェースユニットとを備え、前記制御部により、前記加入者系伝送装置の前記交換機インタフェースユニット、制御パスユニット及び、ＩＳＤＮ加入者インタフェースユニットにおけるスイッチオプションを設定することにより、前記加入者系伝送装置に接続されるデジタル交換機に対応する前記スイッチオプションを同一のものとすることを特徴とする。
さらに好ましくは、前記ＩＳＤＮ加入者インタフェースユニットにおけるスイッチオプションは、交換機に対応するアラーム制御部であることを特徴とする。
また、別の態様として、複数のデジタル交換機と、複数のデジタル交換機が接続される加入者系伝送装置と、外部よりスイッチオプションを設定する制御部を有する。そして、前記加入者系伝送装置は、交換機インタフェースユニットと、
制御パスユニットと、ＩＳＤＮ加入者インタフェースユニットとを備え、前記制御部により、前記加入者系伝送装置の該交換機インタフェースユニット、制御パスユニット及び、ＩＳＤＮ加入者インタフェースユニットにおけるスイッチオプションを設定することにより、前記加入者系伝送装置に接続される複数のデジタル交換機のそれぞれに対応する該スイッチオプションを同一のものとすることを特徴とする。
好ましくは、前記ＩＳＤＮ加入者インタフェースユニットにおけるスイッチオプションは、デジタル交換機に対応するアラーム制御部であることを特徴とする。
また、前記において、前記複数のデジタル交換機は、ＲＤＴ３０３−１〜４のインタフェース規格を持ち、ＲＤＴ３０３毎に前記加入者系伝送装置の交換機インタフェースユニットと、制御パスユニットと、ＩＳＤＮ加入者インタフェースユニットにおける交換機タイプを設定可能であることを特徴とする。
また、前記において、前記複数のデジタル交換機は、異なる交換機ベンダーの交換機であることを特徴とする。
さらに、別の態様として、アナログ交換機と、複数のデジタル交換機と、前記アナログ交換機はデジタル化装置を通して、前記複数のデジタル交換機は直接に接続される加入者系伝送装置と、外部よりスイッチオプションを設定する制御部を有する。そして、前記加入者系伝送装置は、交換機インタフェースユニットと、制御パスユニットと、ＩＳＤＮ加入者インタフェースユニットとを備え、前記制御部により、該加入者系伝送装置の該交換機インタフェースユニット、制御パスユニット及び、ＩＳＤＮ加入者インタフェースユニットにおけるスイッチオプションを設定することにより、前記加入者系伝送装置に接続される複数のデジタル交換機のそれぞれに対応する該スイッチオプションを同一のものとすることを特徴とする。
さらに好ましくは、前記ＩＳＤＮ加入者インタフェースユニットは、複数のチャネルに対応する同一構成のアラーム制御部を有し、チャネル毎に複数の異なる交換機モードに対応して接続できることを特徴とする。
また、好ましくは、前記ＩＳＤＮ加入者インタフェースユニットは、一枚のＩＳＤＮカードに少なくとも２チャネル分のアラーム制御部を備えることを特徴とする。
さらにまた、前記ＩＳＤＮ加入者インタフェースユニットは、終端部を有し、ＩＳＤＮチャンネルカードが未実装状態であること検知することを特徴とする。
また、前記ＩＳＤＮ加入者インタフェースユニットは、終端部を有し、ネットワークアターミナルの接続が断状態であることを検知することを特徴とする。
また、前記ＩＳＤＮ加入者インタフェースユニットは、終端部を有し、ネットワークアターミナルがパワーダウン状態であることを検知することを特徴とする。
本発明の更なる特徴は、以下の図面を参照して説明される発明の実施の形態から明らかになる。
発明を実施するための最良の形態
以下図面に従い、本発明の実施の形態を説明する。なお、図において、同一又は類似のものには同一の参照番号又は、参照記号を付して説明する。
図５は、本発明の概念構成を説明する実施の形態である。図５に示すとおり、ＴＲ３０３規格のデジタル交換機２Ａ〜２Ｄに接続する場合は、セントラルオフイスターミナル（ＣＯＴ）２０は不要となりリモートターミナル（ＲＤＴ：加入者系伝送装置）２１と、ＤＳ１信号により接続する。
この時、接続するＴＲ３０３規格デジタル交換機２Ａ〜２Ｄのベンダー毎にインタフェース仕様（ＩＳＤＮアラーム検出方法）が異なる。このためにアラーム情報を一律には送れない。したがって、交換機のタイプに応じてＩＳＤＮアラーム通知方式を変更する必要がある。。
そのために、本発明は、加入者系伝送装置（ＡＣＴＲ：アクセスキャリア・トランスポートシステム）２１に接続したコンピュータ（ＰＣ）２４からスイッチオプションＳＷＯＰＴを設定し、各交換機に対応したＩＳＤＮアラーム通知を可能とするものである。
図６は、本発明システムの原理を説明する加入者系伝送装置を中心とする構成例である。図６において、Ａ社製のＴＲ−３０３デジタル交換機ＳＷ１は、加入者系伝送装置２１とＤＳ１で接続される。加入者系伝送装置２１内のＳＷインタフェースカード２１１は、ＳＷインタフェース部２１１ａ〜２１１ｄと、これに対しスイッチオプションを設定するＳＷＯＰＴ設定部２１１ｅを有する。
ＳＷＯＰＴ設定部２１１ｅより、それぞれＳＷインタフェース部２１１ａ〜２１１ｄに対し、スイッチオプションＳＷＯＰＴ１，２又は３に設定可能である。
ここで、第１のＳＷインタフェース部２１１ａに接続しているＡ社製の交換機ＳＷ１は、加入者系伝送装置２１でＡ社＝ＳＷＯＰＴ１と定義してあるため、コンピュータ（ＰＣ）２４よりＰＣインタフェースカード２５を通して、ＳＷＯＰＴ設定部２１１ｅを制御して、第１のＳＷインタフェース部２１１ａをスイッチオプションＳＷＯＰＴ１に設定する。
ＥＯＣ制御カード２１２にはＥＯＣ制御部２１２ａ〜２１２ｃを有するが、この場合ＥＯＣ制御部２１２ａ（ＳＷＯＰＴ１）は、ＳＷＯＰＴ設定部２１２ｄよりＳＷＯＰＴ１に設定されたＳＷインタフェース部２１１ａからＥＯＣ終端部２１２ｅを介して制御パス（ｅｏｃ：Ｅｍｂｅｄｄｅｄ  Ｏｐｅｒａｔｉｏｎ  Ｃｈａｎｎｅｌ）を制御する。
また、この第１のＥＯＣ制御部２１２ａは、内部ＥＯＣ送受信部２１２ｆを通して、ＩＳＤＮカード２１４と内部ＥＯＣの送受信を行う。
ＥＯＣ制御カード２１２とＩＳＤＮカード２１４との間にはクロスコネクトカード２１３があり、クロスコネクトを行う。クロスコネクトの態様は、コンピュータ（ＰＣ）２４により、インタフェースカード２５を通してクロスコネクト設定部２１３ａに設定情報を送り設定が行なわれる。
ＩＳＤＮカード２１４は、１枚のカードに２チャネル分が搭載されている。図では、ＩＳＤＮカード２１４にチャネル（ＣＨ）１とチャネル（ＣＨ）２の回路が示されている。そして、各チャネルの回路構成は同様であり、それぞれＳＷＯＰＴ１からＳＷＯＰＴ３にアラーム通知を行なう、第１のアラーム制御部２１４ａ、第２のアラーム制御部２１４ｂ及び、第３のアラーム制御部２１４ｃを有する。
例えば、ＣＨ１が交換機ＳＷ１に接続するされるように、コンピュータ（ＰＣ）２４よりクロスコネクトカード２１３のクロスコネクト設定部２１３ａに接続設定を行う。かかる接続設定が行われると、ＩＳＤＮカード２１４のＣＨ１は、ＳＷＯＰＴ１に対してアラーム制御を行うようにＥＯＣ制御カード２１２から，アラーム制御部２１４ａが有効とされる。
以上のような仕組みにより、例えばＩＳＤＮカード２１４が未実装状態に遷移した場合、ＥＯＣ制御カード２１２内のＥＯＣ制御部２１２ａ及びＥＯＣ制御部２１２ｂがそれぞれＣＨ１，ＣＨ２が未実装になったアラーム情報を第１、第２の交換機ＳＷ１、ＳＷ２に送出する。
また、ＣＨ１のＵ点が同期外れ状態に遷移した時、即ち、Ｕ点終端部２１４ｄにネットワークターミナルＮＴ１が接続されない場合，ＣＨ１のＵ点終端部２１４ｄがＵ点同期外れを検出する。そして、アラーム制御部２１４ａがＳＷＯＰＴ１の仕様に合うアラームコマンドを内部ＥＯＣ送受信部２１４ｅより交換機側に送出する。
また、ＣＨ２のＵ点が同期外れ状態に遷移した時、ＣＨ２のＵ点終端部２１４ｄがＵ点同期外れを検出し、アラーム制御部２１４ｂがＳＷＯＰＴ２の仕様に合うアラームコマンドを内部ＥＯＣ送受信部２１４ｅより交換機側に送出する。
ＣＨ１のＴ点（ネットワークターミナルＮＴ１と端末装置ＴＥ間）が同期外れ状態に遷移した時は、ネットワークターミナルＮＴ１がＴ点同期外れ情報をｍ−ｂｉｔによりＵ点を通してＩＳＤＮカード２１４のＣＨ１のアラーム制御部２１４ａに通知し、アラーム制御部２１４ａにおいて、Ａ社の期待するＴ点同期外れアラーム通知方法に従い制御パスｅｏｃを送出する。
図７は、Ｕ点終端部２１４ｄの詳細構成例を示したものである。Ｕ点終端部２１４ｄはアラーム制御部切替部２００、Ｕ点同期外れ検出部２０１、ＮＴ１電源断検出部２０２及び、Ｔ点同期外れ検出部２０３を有する。
ここで、重要であるのは、ネットワークターミナルＮＴ１の種類によって、Ｔ点同期外れを通知するｍ−ｂｉｔの値が異なるということである。すなわち、ａｃｔビット＝０で通知するものもあれば、ｓａｉビット＝０で通知するものもあれば、ａｃｔビットとｓａｉビットを共に０にするものもある。
したがって、これらすべてのネットワークターミナルＮＴ１のタイプのＴ点同期外れ状態を検出できるように、図７に示すようにＵ点終端部２１４ｄのＴ点同期外れ検出部２０３では、ＡＣＴ＝０を検出する回路２０３ｂと、ＳＡＩ＝０を検出する回路２０３ｃを有し、更にこれらの回路のＯＲ論理を採るＯＲ回路２０３ａを備える。
したがって、ａｃｔビットとｓａｉビットのいずれかが０になることでＴ点同期外れを検出している。
また、このｍ−ｂｉｔの値をそのまま交換機に通知すると、交換機はＴ点同期外れを正しく検出できないため、アラーム制御部２１４ａにより、Ａ社の交換機ＳＷ１が期待するＬＴ  ＯＨ、ＮＴ  ＯＨの値に変換して、制御パスアラームレポートを送出している。
これにより、いずれのタイプのネットワークターミナルＮＴ１がＩＳＤＮカード２１４に接続されても、全てのタイプの交換機に正しいＴ点同期外れ通知を行うことができる。
図８は、本発明の実施例である。ＴＲ３０３デジタル交換機として、第１の交換機ＳＷ１である＃５ＥＳＳ（ＬＵＣＥＮＴ社製）、第２の交換機ＳＷ２であるＤＭＳ−１００（ＮＯＲＴＥＬ社）の２種類が接続されている。
それぞれコンピュータ（ＰＣ）２４によりスイッチオプションとして、ＲＤＴ３０３−１：ＳＷＯＰＴ＝１（ＬＵＣＥＮＴ）、ＲＤＴ３０３−２：ＳＷＯＰＴ＝２（ＮＯＲＴＥＬ）と設定される。
ＲＤＴ３０３−１とＲＤＴ３０３−２は、各々インタフェースカード２１１の第１、第２の交換機インタフェース部２１１ａ，２１１ｂである。ＩＳＤＮカード（Ｄ−ＢＲＵ−ＬＴ２）２１４のＣＨ１とＣＨ２は、それぞれインタフェース部２１１ａ（ＲＤＴ３０３−１）、２１１ｂ（ＲＤＴ３０３−２）にクロスコネクトカード２１３によりクロスコネクトされる。
ＩＳＤＮカード２１４のＣＨ１、ＣＨ２はクロスコネクトされることによりＲＤＴ３０３−１とＲＤＴ３０３−２と同一のスイッチオプションＳＷＯＰＴが設定される。また、ＥＯＣ制御カード（ＥＭ１Ｃ）２１２のＥＯＣ制御部もスイッチオプションＳＷＯＰＴに対応した仕様により動作する。
このとき、１台の加入者系伝送装置（ＲＤＴ）２１で最大４つの識別が可能であり、４つのインタフェースＲＤＴ３０３−１，ＲＤＴ３０３−２，ＲＤＴ３０３−３，ＲＤＴ３０３−４に各々独立に交換機のタイプを設定することができる。
図９は、表２として、各交換機ベンダーに対するＩＳＤＮカード（Ｄ−ＢＲＵ−ＬＴ２）２１４のＩＳＤＮアラーム通知コマンド及びその値を示している。
このうちＬＵＣＥＮＴ社とＳＩＥＭＥＮＳ社製についてはスイッチオプションＳＷＯＰＴ＝１の通知コマンドにより対応し、ＮＯＲＴＥＬ社製についてはスイッチオプションＳＷＯＰＴ＝２の通知コマンドで対応する。
また、スイッチオプションＳＷＯＰＴ＝３は現状対応ベンダーがないために使用されていないが、本発明に対応する前の旧版のソフトウェアの仕様で動作するようにして、ＥＯＣ制御カードのみ更新された装置において、動作異常が発生しないようにバックワード互換性（Ｂａｃｋｗａｒｄ  Ｃｏｍｐａｔｉｂｉｌｉｔｙ）を確保している。
図９の表中に記述したのは、加入者系伝送装置（ＲＤＴ）２１が交換機に送出するＥＯＣ情報通知であり、ここで、ＬＴ  ＯＨ、ＮＴ  ＯＨはそれぞれ、Ｕ点の下り方向ｍ−ｂｉｔ（ＬＴ  ＯＨ）と、上り方向ｍ−ｂｉｔ（ＮＴ  ＯＨ）を意味する。
図９に表中、１項のＣＨカード抜けの状態時、スイッチオプションＳＷＯＰＴ＝１設定では、“Ｍ＿ＥＶＥＮＴ＿ＲＥＰＯＲＴ  ｆｏｒ  ＩＳＤＮ  Ｌｉｎｅ  Ｔｅｒｍｉｎａｔｉｏｎ”のみを送出すればよいが、スイッチオプションＳＷＯＰＴ＝２設定では、“Ｍ＿ＥＶＥＮＴ＿ＲＥＰＯＲＴ  ｆｏｒ  ＩＳＤＮ  Ｌｉｎｅ  Ｔｅｒｍｉｎａｔｉｏｎ”に加えて、“Ｍ＿ＥＶＥＮＴ＿ＲＥＰＯＲＴ  ｆｏｒ  ＩＳＤＮ  Ｆｒａｍｅｄ  Ｐａｔｈ  Ｔｅｒｍｉｎａｔｉｏｎ  Ｃｈａｎｇｅ  ｏｆ  Ｏｖｅｒｈｅａｄ  Ｂｉｔｓ  Ｒｅｐｏｒｔ”を送出しなければならない。
“Ｍ＿ＥＶＥＮＴ＿ＲＥＰＯＲＴ  ｆｏｒ  ＩＳＤＮ  Ｆｒａｍｅｄ  Ｐａｔｈ  Ｔｅｒｍｉｎａｔｉｏｎ  Ｃｈａｎｇｅ  ｏｆ  Ｏｖｅｒｈｅａｄ  Ｂｉｔｓ  Ｒｅｐｏｒｔ”には、表２中のＬＴ  ＯＨ、ＮＴ  ＯＨの情報を含めて送出する。
２項のＵ点同期外れ状態では、Ｕ点終端部２１４ｄ内のＵ点同期外れ検出部２０３によりＵ点同期外れを検出し、交換機に対してアラームを通知する。この時、スイッチオプションＳＷＯＰＴ１のＬＵＣＥＮＴ社とＳＩＥＭＥＮＳ社の交換機はに対しては、“Ａｌａｒｍ  Ｓｔａｔｕｓ  Ｃｈａｎｇｅ  Ｒｅｐｏｒｔ”のみを送出しなければならない。
また、ＬＴ  ＯＨのａｃｔビット＝０、ＮＴ  ＯＨは全ビットを０にしなければならない。また、スイッチオプションＳＷＯＰＴ２のＮＯＲＴＥＬ社の交換機に対しては、“Ａｌａｒｍ  Ｓｔａｔｕｓ  Ｃｈａｎｇｅ  Ｒｅｐｏｒｔ”と“ＮＴ１  Ｏｖｅｒｈｅａｄ  Ｓｔａｔｕｓ  Ｃｈａｎｇｅ  Ｒｅｐｏｒｔ”を送出する必要があり、ＬＴ  ＯＨのａｃｔビット＝０、ＮＴ  ＯＨのａｃｔ，ｐｓ１，ｐｓ２，ｓａｉビット＝０にしなければならない。
３項のＮＴ１電源断状態はＵ点同期外れ状態と同じ状態となるため、同じメッセージを送出する。
４項のＴ点同期外れ状態では、Ｕ点終端部内のＴ点同期外れ検出部にてＴ点同期外れを検出し、交換機に対してアラームを通知する。この時、スイッチオプションＳＷＯＰＴ１の交換機はＬＴ  ＯＨのａｃｔビットが１、ＮＴ  ＯＨのａｃｔビットが０であれば、Ｔ点同期外れを検出するが、スイッチオプションＳＷＯＰＴ２の交換機はＬＴ  ＯＨのａｃｔビットが１、ＮＴ  ＯＨのａｃｔビットが０、ｓａｉビットが０で、Ｔ点同期外れを検出する。
このため、図９の表２のような値を送出することにより、交換機において、正しくＴ点同期外れが検出できる。
産業上の利用可能性
以上実施の形態を説明した様に、本発明は、各ＴＲ３０３規格のデジタル交換機に接続するためにモジュール交換等の作業を必要とせず、ＩＳＤＮカードのソフトウェア機能追加という比較的簡単な変更で実現される。
そして、従来のサービス（ＴＲ−００８  ＰＯＴＳ／ＩＳＤＮ，ＴＲ−３０３  ＰＯＴＳ／ＩＳＤＮ）との互換性を保ちつつ、異なるタイプのネットワークターミナルＮＴ１がＩＳＤＮ加入者に接続されても、全てのＴＲ−３０３デジタル交換機に対し、ＩＳＤＮアラームを正しく通知することができる。ＩＳＤＮこれにより、本発明により加入者線の保守作業（Ｆａｕｌｔ  Ｌｏｃａｔｉｎｇ）が正確に実施可能である。
ここで、本発明の保護の範囲は、上記の実施の形態に限定されるものではなく、添付の特許請求の範囲の記載に基づき、特許請求の範囲と均等の範囲も本発明に含まれるものである。
【図面の簡単な説明】
図１は、ＵＤＬＣ（Ｕｎｉｖｅｒｓａｌ  Ｄｉｇｉｔａｌ  Ｌｏｏｐ  Ｃａｒｒｉｅｒ）
図２は、ＩＤＬＣ（Ｉｎｔｅｇｒａｔｅｄ  Ｄｉｇｔａｌ  Ｌｏｏｐ  Ｃａｒｒｉｅｒ）システムの構成例である。
図３は、交換機（ＳＷ）ベンダーによらず、全て同一のインタフェース規格（ＴＲ−００８）に準拠している従来の技術を説明する図である。
図４は、各交換機ベンダーに対応したＩＳＤＮアラーム通知コマンド及び、その値（ＴＲ−００８）の例である。
図５は、本発明の概要を説明する図である。
図６は、本発明に従う加入者系伝送装置の構成例を説明する図である。
図７は、図６におけるＵ点終端部の構成例を示す図である。
図８は、本発明に従う加入者系伝送装置の実施例構成図である。
図９は、各交換機ベンダーに応じたＩＳＤＮアラーム通知コマンド及びその（ＴＲ−３０３）を説明する図である。
【図１】
0004198356.tif 000002
【図２】
0004198356.tif 000003
【図３】
0004198356.tif 000004
【図４】
0004198356.tif 000005
【図５】
0004198356.tif 000006
【図６】
0004198356.tif 000007
【図７】
0004198356.tif 000008
【図８】
0004198356.tif 000009
【図９】
0004198356.tif 000010